(57)【要約】【課題】パイプ体に対し樹脂チューブをしっかりと抜け止めでき、しかも樹脂チューブの接続作業を煩雑にすることのない樹脂チューブ用抜け止め具を提供する。【解決手段】樹脂チューブ用抜け止め具２３を、筒状保持部２５と、この筒状保持部２５よりも大径に形成した筒状支持部２７と、から一体的に形成する。筒状保持部２５の内径と軸方向他方側部分１３の外径との差が、嵌め付け部３３での樹脂チューブ３７の肉厚の２倍にほぼ等しくなるようにしておく。また、筒状支持部２７に切り込み４７を入れ、この切れ込み４７の内側のプレート片を、径方向内側に折り曲げて規制押さえ部４３を構成する。【選択図】図３
2008208955.tif 000002
【特許請求の範囲】
【請求項１】
パイプ体の挿入端部に軸方向一方側から嵌め付けられた樹脂チューブを、前記挿入端部に対して抜け止めする樹脂チューブ用抜け止め具であって、
前記挿入端部の外周には、環状の抜け止め用バルジ部が形成され、前記樹脂チューブは、先端部が前記抜け止め用バルジ部を軸方向他方側に越えるように、前記挿入端部に嵌め付けられるものであり、
前記樹脂チューブ用抜け止め具は、前記挿入端部の前記抜け止め用バルジ部よりも軸方向他方側の部分の外周に嵌められる筒状保持部を有し、
前記筒状保持部は、前記挿入端部の前記抜け止め用バルジ部よりも軸方向他方側の部分との間に、前記樹脂チューブの前記先端部を隙間なく収容するような収容スペースを形成するように構成されている、ことを特徴とする樹脂チューブ用抜け止め具。
【請求項２】
パイプ体の挿入端部に軸方向一方側から嵌め付けられた樹脂チューブを、前記挿入端部に対して抜け止めする樹脂チューブ用抜け止め具であって、
前記挿入端部の軸方向中間部分の外周には、環状の抜け止め用バルジ部が形成され、前記樹脂チューブは、先端部が前記抜け止め用バルジ部を軸方向他方側に越えるように、前記挿入端部に嵌め付けられるものであり、
前記樹脂チューブ用抜け止め具は、前記挿入端部の前記抜け止め用バルジ部よりも軸方向他方側の軸方向他方側部分の外周に嵌められる筒状保持部と、この筒状保持部の軸方向一方側に一体的に設けられた支持部と、この支持部に設けられた規制押さえ部と、を有し、
前記筒状保持部は、前記軸方向他方側部分との間に、前記樹脂チューブの前記先端部を隙間なく収容するような収容スペースを形成するように構成され、
前記規制押さえ部は、前記挿入端部の前記抜け止め用バルジ部よりも軸方向一方側の軸方向一方側部分との間を、前記樹脂チューブが隙間なく通過するように形成されている、ことを特徴とする樹脂チューブ用抜け止め具。
【請求項３】
前記支持部及び／又は前記規制押さえ部は、この規制押さえ部が径方向外側に弾性変形するのを許容するように形成されている、ことを特徴とする請求項２記載の樹脂チューブ用抜け止め具。
【請求項４】
前記支持部は、前記筒状保持部の軸方向一方側に一体的に形成された筒状支持部であり、
前記規制押さえ部は、前記筒状支持部に形成された切れ込みの内側のプレート片を径方向内側に曲げることにより構成されている、ことを特徴とする請求項２又は３記載の樹脂チューブ用抜け止め具。
【請求項５】
前記支持部は、前記筒状保持部に一体的に形成されて軸方向一方側に延びるプレート片によって形成された支持アームであり、
前記規制押さえ部は、前記プレート片の先端部を径方向内側に曲げて軸方向他方側に折り返すことにより形成されている、ことを特徴とする請求項２又は３記載の樹脂チューブ用抜け止め具。
【請求項６】
前記挿入端部の前記抜け止め用バルジ部よりも軸方向他方側の部分又は前記挿入端部の前記軸方向他方側部分には、軸方向他端部位置の外周で、前記筒状保持部が当接するストッパが形成されている、ことを特徴とする請求項１、２、３、４又は５記載の樹脂チューブ用抜け止め具。
【発明の詳細な説明】
【技術分野】
【０００１】
本発明は、配管用樹脂チューブとパイプ体との接続構造に用いる樹脂チューブ用抜け止め具に関し、例えば自動車の樹脂製燃料チューブと車両床下配管の金属パイプ体とを抜け止め接続するための樹脂チューブ用抜け止め具に関する。
【背景技術】
【０００２】
自動車の例えば燃料配管では、配管連結時に自由に屈曲させることができ、かつ、連結対象部材間の相対的変位にも十分追随できる可撓性を備えたゴムホースが用いられているが、ゴムホースは重くて取り扱い性が良くない。そこで、自動車燃料配管では、軽量で取り扱い性に優れた樹脂チューブも用いられている。このような樹脂チューブをパイプ体と接続するときには、鋭角の先端部（外端部）を有する環状の抜け止め突部が形成されたチューブ接続部を一方側に備え、他方側からパイプ体にワンタッチで接続できるように構成されたクイックコネクタを用い、チューブ接続部に樹脂チューブを接続してから、クイックコネクタをパイプ体に接続するといったようにしている。
【０００３】
しかしながら、パイプ体と樹脂チューブとの接続にクイックコネクタを用いると、配管接続個所が大径となって部品配置スペースが圧迫されるし、車体衝突時などに周辺自動車部品がクイックコネクタに当り、クイックコネクタが損傷するおそれもある。したがって、クイックコネクタを用いずに、樹脂チューブをパイプ体に直接接続する接続方式（直付け方式）も利用されている（例えば特許文献１参照）。そして、樹脂チューブをパイプ体に直接接続する場合には、パイプ体の挿入端部の外周にバルジ部を形成しておき、挿入端部の外周にきつく嵌め付けられた樹脂チューブをこのバルシ部で抜け止めするとともに、パイプ体と樹脂チューブとの間のシール性を確保している。
【０００４】
パイプ体の挿入端部に設けられるバルジ部は、樹脂チューブに対する抜け止め性を高めるために、先端が鋭角に形成されているのが好ましい。すなわち、バルジ部は断面直角三角形状などに形成されているのが効果的である。しかしながら、パイプ体が金属製である場合には、バルジ部の先端を尖らせることがむずかしく、挿入端部の外周に樹脂チューブをきつく嵌め付けるだけでは、樹脂チューブの強固な抜け止め性を確保することができない。
【０００５】
そこで、ゴムホースなどと同様に、バルジ部の後側で、樹脂チューブをクランプで締め付けて抜け止め性を高めるといったことが考えられる（例えば、弾性チューブに関するものであるが特許文献２参照）。
【０００６】
【特許文献１】特許第３５６６７９０号公報
【特許文献２】特開平８−２１５７８号公報
【発明の開示】
【発明が解決しようとする課題】
【０００７】
ところで、クランプを用いてチューブの抜け止め性を高める場合には、クランプを予めチューブの端部外周に嵌め付けてから、チューブをパイプ体に接続している。したがって、チューブをパイプ体に接続する場合に、クランプが脱落しないように慎重な作業が必要となる。
【０００８】
そこで本発明は、パイプ体に対し樹脂チューブをしっかりと抜け止めでき、しかも樹脂チューブの接続作業を煩雑にすることのない樹脂チューブ用抜け止め具の提供を目的とする。
【課題を解決するための手段】
【０００９】
この目的を達成するための本発明の樹脂チューブ用抜け止め具は、パイプ体の挿入端部に軸方向一方側から嵌め付けられた樹脂チューブを、前記挿入端部に対して抜け止めする樹脂チューブ用抜け止め具であって、前記挿入端部の外周には、環状の抜け止め用バルジ部が形成され、前記樹脂チューブは、先端部が前記抜け止め用バルジ部を軸方向他方側に越えるように、前記挿入端部に嵌め付けられるものであり、前記樹脂チューブ用抜け止め具は、前記挿入端部の前記抜け止め用バルジ部よりも軸方向他方側の部分の外周に嵌められる筒状保持部を有し、前記筒状保持部は、前記挿入端部の前記抜け止め用バルジ部よりも軸方向他方側の部分との間に、前記樹脂チューブの前記先端部を隙間なく収容するような収容スペースを形成するように構成されているものである。この樹脂チューブ用抜け止め具は、樹脂チューブをパイプ体に嵌め付けるのに先立って、パイプ体に嵌め付けておくものである。抜け止め用バルジ部を軸方向他方側に越えた樹脂チューブの先端部は、筒状保持部と、挿入端部の抜け止め用バルジ部よりも軸方向他方側の部分との間に隙間なく、例えばきつく（圧入状態で）、挿入される。したがって、抜け止め用バルジ部を越えた樹脂チューブの先端部は浮き上がることが規制されるので、樹脂チューブの先端部が抜け止め用バルジ部を越えて引き戻されるおそれは少ない。筒状保持部の内径は、抜け止め用バルジ部の外径と同一又はほぼ同一に、あるいは抜け止め用バルジ部の外径よりも大きくあるいは若干大きく設定されるが、筒状保持部の内径と、抜け止め用バルジ部の外径との差が、嵌め付け部での樹脂チューブの肉厚の２倍よりも小さくなるように設定される。
【００１０】
本発明の樹脂チューブ用抜け止め具は、パイプ体の挿入端部に軸方向一方側から嵌め付けられた樹脂チューブを、前記挿入端部に対して抜け止めする樹脂チューブ用抜け止め具であって、前記挿入端部の軸方向中間部分の外周には、環状の抜け止め用バルジ部が形成され、前記樹脂チューブは、先端部が前記抜け止め用バルジ部を軸方向他方側に越えるように、前記挿入端部に嵌め付けられるものであり、前記樹脂チューブ用抜け止め具は、前記挿入端部の前記抜け止め用バルジ部よりも軸方向他方側の軸方向他方側部分の外周に嵌められる筒状保持部と、この筒状保持部の軸方向一方側に一体的に設けられた支持部と、この支持部に設けられた規制押さえ部と、を有し、前記筒状保持部は、前記軸方向他方側部分との間に、前記樹脂チューブの前記先端部を隙間なく収容するような収容スペースを形成するように構成され、前記規制押さえ部は、前記挿入端部の前記抜け止め用バルジ部よりも軸方向一方側の軸方向一方側部分との間を、前記樹脂チューブが隙間なく通過するように形成されている、ものとして構成することもできる。この樹脂チューブ用抜け止め具も、樹脂チューブをパイプ体に嵌め付けるのに先立って、パイプ体に嵌め付けておくものである。ここでは、樹脂チューブの嵌め付け部は、筒状保持部及び規制押さえ部によって、抜け止め用バルジ部の軸方向両側で、浮き上がりが規制される。したがって、より確実な抜け止め性が確保される。筒状保持部の内径は、抜け止め用バルジ部の外径と同一又はほぼ同一に、あるいは抜け止め用バルジ部の外径よりも大きくあるいは若干大きく設定されるが、筒状保持部の内径と、抜け止め用バルジ部の外径との差が、嵌め付け部での樹脂チューブの肉厚の２倍よりも小さくなるように設定される。
【００１１】
支持部及び／又は規制押さえ部が、この規制押さえ部の径方向外側への弾性変形を許容するように形成されていれば、樹脂チューブの嵌め付け部が規制押さえ部を通過し、しかも、規制押さえ部が樹脂チューブの嵌め付け部を押さえ付けるといったように簡単に構成できる。
【００１２】
支持部は、筒状保持部の軸方向一方側に一体的に形成された筒状支持部であり、規制押さえ部は、筒状支持部に形成された切れ込みの内側のプレート片を径方向内側に曲げることにより形成されているといったようにして、安定した押さえ機能を確保することができ、また、支持部は、筒状保持部に一体的に形成されて軸方向一方側に延びるプレート片によって形成された支持アームであり、規制押さえ部は、プレート片の先端部を径方向内側に曲げて軸方向他方側に折り返すことにより形成されているといったようにして、規制押さえ部の高い弾性変形性を確保することもできる。
【００１３】
本発明では、樹脂チューブの接続時に（例えば樹脂チューブの接続を開始すると）、樹脂チューブ用抜け止め具が軸方向他方側に移動しないように位置決め又は固定される必要がある。そこで、挿入端部の抜け止め用バルジ部よりも軸方向他方側の部分又は挿入端部の軸方向他方側部分に、軸方向他端部位置の外周で、筒状保持部が当接するストッパを形成しておくのが好ましい。
【発明の効果】
【００１４】
本発明の樹脂チューブ用抜け止め具をパイプ体の挿入端部に嵌め付けておき、樹脂チューブを挿入端部に接続すれば、樹脂チューブは確実な抜け止め状態でパイプ体に接続されることとなる。
【発明を実施するための最良の形態】
【００１５】
以下、本発明の実施の形態を図面を参照して説明する。
【００１６】
図１は本発明に係る第１の樹脂チューブ用抜け止め具をパイプ体とともに示す斜視図、図２は第１の樹脂チューブ用抜け止め具をパイプ体に嵌め付けた状態を示す半断面図、図３はパイプ体に樹脂チューブを接続した状態を示す半断面図である。
【００１７】
パイプ体１は、例えば金属製であり、自動車の燃料系配管（例えば車両床下配管）を構成するために、内部機器（図示せず）に突出して設けられている。パイプ体１の軸方向一方側（先端側）は、一定の内径及び外径を有して細長く延びる端部本体３の軸方向中間部に、径方向外側に突出する環状のバルジ部５を膨出形成することにより、挿入端部７として構成されている。挿入端部７のバルジ部５よりも軸方向一方側の軸方向一方側部分９には、軸方向一端で、環状の開口側部（先端バルジ部）１１が接続形成され、挿入端部７のバルジ部５よりも軸方向他方側の軸方向他方側部分１３には、軸方向他端部で、外向きフランジ状の環状ストッパ１５が形成されている。
【００１８】
開口側部１１は、端部本体３（軸方向一方側部分９）よりも小径の先端開口部１７から、軸方向他方側（バルジ部５側）に向かって端部本体３（軸方向一方側部分９）よりも大径となるピーク部１９まで円錐状に拡径し、このピーク部１９から、軸方向他方側に向かって端部本体３（軸方向一方側部分９）に接続されるまで円錐状に縮径して形成されている。
【００１９】
バルジ部５は、開口側部１１よりも大きく突出するように、すなわち、ピーク部２１が、開口側部１１のピーク部１９よりも径方向外側に位置するように、環状（円環状）に、かつ、軸線を含む切断面による断面が直角三角形状となるように形成されている。また、環状ストッパ１５は、バルジ部５よりも径方向外側に大きく突出するように形成されている。
【００２０】
第１の樹脂チューブ用抜け止め具２３は、例えば金属製であり、軸方向他方側の同径状に延びる筒状保持部２５と、この筒状保持部２５よりも大径に形成された、軸方向一方側の筒状支持部２７と、この筒状支持部２７及び筒状保持部２５の間に配置されたテーパ状の連結部２９と、から、薄肉円筒状に一体的に形成されている。
【００２１】
筒状保持部２５は、端部本体３（軸方向他方側部分１３）よりも大きく、かつ、バルジ部５（バルジ部５のピーク部２１）に等しい又はほぼ等しいあるいはバルジ部５（バルジ部５のピーク部２１）よりも大きい内径を有するように形成されているが、また、筒状保持部２５の内径（直径）と軸方向他方側部分１３の外径（直径）との差が、嵌め付け部３３（嵌め付け部３３の先端部分３５）での樹脂チューブ３７の肉厚の２倍に等しく又はほぼ等しくなるように、あるいは、嵌め付け部３３（嵌め付け部３３の先端部分３５）での樹脂チューブ３７の肉厚の２倍よりも小さく又は若干小さくなるように（樹脂チューブ３７の接続前の状態で）、形成されている。なお、筒状保持部２５をバルジ部５よりも大径に形成する場合でも、筒状保持部２５の内径（直径）と、バルジ部５（バルジ部５のピーク部２１）の外径（直径）との差は、嵌め付け部３３での樹脂チューブ３７の肉厚の２倍よりも小さくなるように設定される。さらに、筒状保持部２５は、環状ストッパ１５よりも小径に形成されている。
【００２２】
筒状支持部２７は、連結部２９の軸方向一端から軸方向一方側に同径状で延びる支持本体部３９と、この支持本体部３９の軸方向一端に接続形成された、軸方向一方側に向かって拡径しながらわずかに延びるガイド部４１と、から一体的に形成されていて、開口側部１１（ピーク部１９）、端部本体３（軸方向一方側部分９）及びバルジ部５（ピーク部２１）よりも十分大径に構成されているが、支持本体部３９の周方向等間隔の４箇所で、板バネ状の規制押さえ部４３を一体的に有している。それぞれの規制押さえ部４３は、筒状支持部２７の支持本体部３９に、軸方向に長い長方形状を描くように、かつ、この長方形状の軸方向一端辺部４５を除いて、切り込み４７を入れ、この切れ込み４７の内側の長方形状のプレート片を、軸方向一端辺部４５で径方向内側に折り曲げることにより形成されている。規制押さえ部４３はそれぞれ、軸方向一端辺部４５から軸方向他方側に向かって径方向内側に傾斜して延びるバネ変形部４９及びこのバネ変形部４９の軸方向他端から軸方向他方側に、軸と平行に延びる押さえ部５１を一体的に有するように屈曲形成されていて、押さえ部５１の内面５３と軸方向一方側部分９の外周との間が、樹脂チューブ３７の嵌め付け部３３の肉厚に等しく又はほぼ等しくなるように、あるいは、嵌め付け部３３の肉厚よりも小さく又は若干小さくなるように（樹脂チューブ３７を接続する前の状態で）、形成されている。
【００２３】
パイプ体１に樹脂チューブ３７を接続するには、まず、図２に示すように、パイプ体１の挿入端部７の外周に、開口側部１１側から（軸方向一方側から）、第１の樹脂チューブ用抜け止め具２３を嵌め付けておく。第１の樹脂チューブ用抜け止め具２３は、筒状保持部２５側から挿入端部７の外周に嵌められる。
【００２４】
そして、樹脂チューブ３７の嵌め付け部３３を、開口側部１１側から（軸方向一方側から）、挿入端部７の外周に嵌め付ける。樹脂チューブ３７の嵌め付け部３３は、開口側部１１の先端開口部１７の外径とほぼ等しい内径を有しているので、拡径されながら挿入端部７の外周に、軸方向他方側に向かって嵌め付けられていく。そして、押さえ部５１の内面５３と軸方向一方側部分９の外周との間が、例えば、樹脂チューブ３７の嵌め付け部３３の肉厚とほぼ等しくなっているので、樹脂チューブ３７の嵌め付け部３３の先端が、押さえ部５１の軸方向一端位置に差し掛かると、嵌め付け部３３は、筒状保持部２５の軸方向他端が環状ストッパ１５に当接するまで、樹脂チューブ用抜け止め具２３を軸方向他方側にずらし、かつ、挿入端部７と同心状となるように、樹脂チューブ用抜け止め具２３を径方向に位置決めする（図２参照）。
【００２５】
樹脂チューブ３７の嵌め付け部３３を、挿入端部７にさらに嵌め付けていくと、嵌め付け部３３の先端部３５は、押さえ部５１の内面５３と軸方向一方側部分９の外周との間を、例えば、押さえ部５１を若干径方向外側に弾性変形させて、通過し、バルジ部５を越え、筒状保持部２５と軸方向他方側部１３の外周との間に、例えばきつく（圧入状態で）、嵌り込む。押さえ部５１は、例えば、バネ変形部４９の弾性変形により、径方向外側に弾性変形する。したがって、樹脂チューブ３７の嵌め付け部３３は、バルジ部５の軸方向両側で、径方向外側へのずれが規制されるので、バルジ部５上を抜け方向に移動することができず、パイプ体１の挿入端部７にしっかりとした抜け止め状態で接続されることとなる。なお、連結部２９は、バルジ部５よりも軸方向他方側に位置し、バルジ部５との間に、樹脂チューブ３７の嵌め付け部３３が通過できる十分な大きさのスペースを形成している。また、押さえ部５１の軸方向他端縁部５５は、樹脂チューブ３７の嵌め付け部３３が抜け方向に移動しようとすると、この嵌め付け部３３に食い込んで抜け移動を阻止するように機能する。
【００２６】
図４は本発明に係る第２の樹脂チューブ用抜け止め具をパイプ体１とともに示す斜視図、図５は第２の樹脂チューブ用抜け止め具をパイプ体１に嵌め付けた状態を示す図、図６はパイプ体１に樹脂チューブ３７を接続した状態を示す半断面図である。
【００２７】
第２の樹脂チューブ用抜け止め具５７は、第１の樹脂チューブ用抜け止め具２３と同様に、パイプ体１に嵌め付けられて、樹脂チューブ３７を抜け止めするものである。
【００２８】
第２の樹脂チューブ用抜け止め具５７は、例えば金属製であり、軸方向他方側の筒状保持部２５と、筒状保持部２５の軸方向一端から軸方向一方側に向かって拡径しながら延びる逆テーパ状の連結部２９と、この連結部２９の軸方向一端から、周方向等間隔の４箇所で、軸方向一方側に延びる、板バネ状の支持アーム５９と、この支持アーム５９の軸方向一端に設けられた板バネ状の規制押さえ部６１と、を一体的に有している。なお、筒状保持部２５及び連結部２９は、第１の樹脂チューブ用抜け止め具２３に設けられているものと構成が同一なので、ここでは説明を省略する。
【００２９】
それぞれの規制押さえ部６１は、連結部２９の軸方向一端から一体的に軸方向一方側に延びて支持アーム５９を形成するプレート片の先端部を、径方向内側に折り曲げて軸方向他方側に折り返すことにより形成されている（支持アーム５９はプレート片の先端部以外の部分により形成されている）。規制押さえ部６１はそれぞれ、支持アーム５９の先端に設けられた折り返し基部６３の先端から軸方向他方側に向かって径方向内側に傾斜して延びるバネ変形部６５及びこのバネ変形部６５の軸方向他端から軸方向他方側に、軸と平行に延びる押さえ部６７を一体的に有するように屈曲形成されていて、押さえ部６７は軸方向一方側部分９の外周と接触するように形成されている（図５参照：樹脂チューブ３７を接続する前の状態で）。なお、支持アーム５９は軸方向一方側に向かって若干径方向外側に傾斜して延びている。
【００３０】
ここで、パイプ体１に樹脂チューブ３７を接続するには、まず、図５に示すように、パイプ体１の挿入端部７の外周に、開口側部１１側から（軸方向一方側から）、それぞれの押さえ部６７が軸方向一方側部９に接触し、筒状保持部２５の軸方向他端が環状ストッパ１５に当接するように、樹脂チューブ用抜け止め具５７を嵌め付けておく。樹脂チューブ用抜け止め具５７は、筒状保持部２５側から挿入端部７の外周に嵌められる。
【００３１】
そして、樹脂チューブ３７の嵌め付け部３３を、開口側部１１側から（軸方向一方側から）、挿入端部７の外周に嵌め付ける。樹脂チューブ３７の嵌め付け部３３は、開口側部１１の先端開口部１７の外径とほぼ等しい内径を有しているので、拡径されながら挿入端部７の外周に、軸方向他方側に向かって嵌め付けられていく。そして、樹脂チューブ３７の嵌め付け部３３の先端部３５は、例えば、押さえ部６７を若干径方向外側に弾性変形させて、この押さえ部６７を通過し、バルジ部５を越え、筒状保持部２５と軸方向他方側部１３の外周との間に、例えばきつく（圧入状態で）、嵌り込む。押さえ部６７は、例えば、支持アーム５９及びバネ変形部６５の弾性変形により、径方向外側に弾性変形する。したがって、樹脂チューブ３７の嵌め付け部３３は、バルジ部５の軸方向両側で、径方向外側へのずれが規制されるので、バルジ部５上を抜け方向に移動することができず、パイプ体１の挿入端部７にしっかりとした抜け止め状態で接続されることとなる。なお、押さえ部６７の軸方向他端縁部６９は、樹脂チューブ３７の嵌め付け部３３が抜け方向に移動しようとすると、この嵌め付け端部３３に食い込んで抜け移動を阻止するように機能する。
【産業上の利用可能性】
【００３２】
本発明の樹脂チューブ用抜け止め具は、自動車の燃料系配管などで、パイプ体に樹脂チューブを直接接続する場合に有効に利用することができる。
【図面の簡単な説明】
【００３３】
【図１】本発明に係る第１の樹脂チューブ用抜け止め具をパイプ体とともに示す斜視図である。
【図２】第１の樹脂チューブ用抜け止め具をパイプ体に嵌め付けた状態を示す半断面図である。
【図３】パイプ体に樹脂チューブを接続した状態を示す半断面図である。
【図４】本発明に係る第２の樹脂チューブ用抜け止め具をパイプ体とともに示す斜視図である。
【図５】第２の樹脂チューブ用抜け止め具をパイプ体に嵌め付けた状態を示す図である。
【図６】パイプ体に樹脂チューブを接続した状態を示す半断面図である。
【符号の説明】
【００３４】
１              パイプ体
５              バルジ部
７              挿入端部
９              軸方向一方側部分
１１            開口側部
１３            軸方向他方側部分
２３            第１の樹脂チューブ用抜け止め具
２５            筒状保持部
２７            筒状支持部
３３            嵌め付け部
３５            先端部分
３７            樹脂チューブ
４３            規制押さえ部
５９            支持アーム    
６１            規制押さえ部
【図１】
2008208955.tif 000003
【図２】
2008208955.tif 000004
【図３】
2008208955.tif 000005
【図４】
2008208955.tif 000006
【図５】
2008208955.tif 000007
【図６】
2008208955.tif 000008